(57)【要約】【課題】買い物をした時にレジで受領するプラスチック製袋は受領しても廃棄するか、ごみを廃棄する袋として使用されていた。この袋は資源なので、再使用するのが望ましいい。使用するまで効率良く最小化して保存する必要があり、最小化する方法を提案する。【解決手段】予めプラスチック袋に折る部位と順番を記すことによって、誰でも簡単に袋状に折り畳むことにより、最小化することが可能となる。【選択図】図１
2013241213.tif 000002
【特許請求の範囲】
【請求項１】
買い物をした時に買った物を収納し持ち運びできるプラスチックス製袋において、このプラスチックス製袋に予め折る部位と折る順番を記したことを特徴とするプラスチックス袋。
【請求項２】
請求項１の袋において、袋は平面図で見ると、長方形に取手部を付けた構造、或いは取手の代わりに穴が開いた構造であり、その長方形と取手の境目で取手が裏側になる様に、もしくは取手を袋の内側になる様に、或いは穴の開いた袋でも穴の下部で同様に、１回目の折りを行い、出来た長方形の１辺の長さ（ａ）と他辺の長さ（ｂ）の好ましい比率は、１．０ｂ≦ａ≦１．５ｂで、更に好ましい比率は、１．０ｂ≦ａ≦１．３ｂであり、更に、袋状に折るための２回目の折線は、四角形の対角線か、四角形を数等分する平行線であることを特徴とするプラスチック袋。
【請求項３】
請求項１または２の袋において、袋に予め、同一面或いは、袋の表面と裏面に袋状保存袋と成型体を作成できる折る部位と折り曲げる順番を印刷しておくと、１枚目の袋で袋状保存袋を作成し、２枚目以降の袋で成型体を作製し、袋状保存袋に収納することが出来る様にしたことを特徴とするプラスチックス袋。
【請求項４】
請求項１、２あるいは３の袋において、折る部位は、線以外に丸形、三角形、小さい動物、小さい植物、アルファベット、ギリシャ文字、アラビヤ文字などの文字、図形などを連続して記しておいたり、折り線で囲まれてできた図形に色を付け、その色と色の境目であったり、連続する線等ではなく折る部位を表す最初の地点近くの部位と終点近くの部位に、丸、三角、星型、四角、台形、円錐、三角錐などの図形の中に数字を記しておき、その図形を結ぶ想定線で順番に折り畳んだりして結果として袋状保存袋、成型体を成型できることを特徴とするプラスチックス袋。
【請求項５】
請求項１，２，３あるいは４の袋において、最終的に折り畳まれた成型体、袋状保存袋の最外周面に連続した地図、動物、植物、人物乗り物、文字などが表示されていることを特徴とするプラスチックス袋。
【発明の詳細な説明】
【技術分野】
【０００１】本発明は、買い物をした時にレジで受領するプラスチック製袋（以下“袋”と略称する）に関するものである。袋は受領しても廃棄するか、ごみを廃棄する袋として使用されていた。この袋は資源であるので、再使用するのが望ましい。そのためにも保存しておくことが必要である。しかし、この袋は嵩張るので、量が増えると保管するのが大変になる。そこで効率良く保存するには、この袋を折り畳んで最小化する必要がある。そこで本発明は、予め袋に折る部位と順番を記し、誰でも簡単に折り畳むことにより省スペース化することを目的にしたものである。
【背景技術】
【０００２】従来、袋は再利用するために、そのまま保存場所に無造作に入れていた。または、壁に取り付けた保存容器に入れ、下から取り出す考案もあったが、容器を購入する必要があったり、取り付けるスペースが必要であったり、インテリアを重視する人にとっては見た目が問題であった。また、袋を折り畳む試みはあったが、大きさもバラバラで嵩張っていた。
【先行技術文献】
【特許文献】
【０００３】
【特許文献１】実用新案出願平８−３９１２号公報
【特許文献２】特許公開２００７−２９７１３５号公報
【特許文献３】特許公開２０１１−１５７１０７号公報
【発明の概要】
【発明が解決しようとする課題】
【０００４】本発明は、上記の実情に鑑みてなされたものであり、資源活用の観点からこの袋を更に有効に使用する安価で簡単な収納方法を提案するものである。特許文献１は、壁等に取り付けた「ポリ袋ストッカー」に使用済のポリ袋を貯め、下から取り出す公案である。しかし、これはポリ袋ストカーを壁に取り付けるためのスペースが必要であったり、購入するための費用も必要であった。特許文献２および特許文献３は、接着剤や溶剤の使用に際して、小分けして仮保管するために、縦及び横に延びる仕切壁を交差して多数の上面が開口した箱形の小間を設けた収納容器に、予め折筋が付いた用紙を箱型（折り紙で言うところの、“三方”）に折り畳み、収納容器の各小間内に嵌め込んで使用していた。この折り畳む用紙は、耐油、耐溶剤のためにシリコーンなどが塗布されているが、紙なので、予め折り筋を付けておくと、そのまま自然に箱に成型できるので、折る順番など記しておかなくても接着剤、溶剤などの液体を入れる箱に成型できる。しかし本発明は、折筋の付かないプラスチックス袋なので折る部位、順番を記しておかないと誰でも簡単に折ることができない。また、プラスチックス袋なので特許文献２および特許文献３の様に箱型に折っても解けてしまうので所期の目的は達成できない。
【課題を解決するための手段】
【０００５】そこで、本発明にあっては、上記課題を解決するために、予め袋に折る部位と順番を記すことによって、誰でも簡単に折り畳むことができ、省スペースであり、しかも安価な袋収納方法を提案することである。
【図面の簡単な説明】
【０００６】
【図１】本発明の折り線と折る順番を記したプラスクス袋とそれを折った成型体と収納袋の平面図
【図２】成型体の袋部位に連続して押し込んだ収納状態を表した平面図
【図３】袋状保存袋の袋部位に連続して押し込んだ収納状態を表した平面図
【図４】収納袋に成型体を入れて、収納した平面図
【図５】折り線の替わりに図形で折る袋（ｂ）と印刷された記号が表示された成型体および収納袋の最終面にその記号が表示された袋（ｂ）の平面図
【図６】袋の第１回目の折り畳む個所および長方形の長辺と短辺を記した平面図
【図７】２回目に折る袋の対角線、或いは平行線を記した平面図
【発明を実施するための形態】
【０００７】本発明にあっては、第１図の様に予め袋に折る部位と順番を記すことによって、誰でも簡単に折り畳むことができ、省スペースであり、しかも安価な袋収納方法を提案することである。順番に従って折り進んで行くと最終的に目的の形になる。この形は、考えられる限りの形を作ることが出来るが、折り畳んだ形状を保持するためには、内側に折り畳んで行き、袋状に折り進めることが必要である。その理由は、袋の材質が延伸ポリエチレン、延伸ポリプロピレン、延伸ポリプロピレン等のプラスチックスを使用しているので、折っても紙の様に折線が付かず、直ぐに解けてしまう。そこで、本発明では、“折り紙”で言うところの“カードケース”、“コップ”、“兜”などの袋状成形体（以下、成形体と略称する）に折ることにより、解けるのを防止することが出来る。例えば、“飛行機”、“鳥”、“奴さん”などの様に単に折るだけでは、直ぐに解けてしまい形を保持するのが困難である。
【０００８】また、これ等の成型体は、第２図および第３図の様に、袋状に作製されているので、尖った部位を成型体の袋の部位に押し込んで幾つも連ねることが出来るので整理し易くコンパクトに収納が出来る。
更に成型体を効率良く収納するには、袋に予め、袋状保存袋を作成できる折る部位と折り曲げる順番を成型体作製線とは別に印刷しておく。すると、第４図の様に、１枚目の袋で袋状保存袋を作成しておくと２枚目以降の成型体を袋状保存袋に収納することが出来る。その時には、成型体の折る部位と袋状保存袋の折る部位が区別できるように色を変えるか、判別できる様な形状にする必要がある。この成型体と袋状保存袋は、同一面に印刷されていても良いが、裏面に印刷されていても良い。
【０００９】また、折る部位は、“山折”と、“谷折”を区別する必要もある。区別するために、線や、丸形、三角形、小さい動物、小さい植物とかアルファベットの連続（以下“折り線”と略称する）でも良い。折り線の替わりに、折り線で囲まれてできた図形に色を付けることもでき、その色と色の境目で折ることも出来る。更に単に図形だけではなく、図形の中に文字、地図などを記載しても良い。また、その図形と図形の間に間隔を空けておき、その間隙に従って折ることも可能である。
【００１０】また、その図形と図形の間に間隔を空けておき、その間隙に従って折ることも可能である。その場合には、間隙は１０ｍｍ以下が好ましい。更に好ましくは５ｍｍ以下にすると、間隙の真ん中で折ることがし易くなる。間隙に折順毎の番号、記号を記す場合は、記された番号、記号を判別するためには２ｍｍ以上が良い。更に、連続した折り線を印刷しておくのではなく、折る部位を表す最初の地点近くの部位と終点近くの部位に、例えば丸の中に数字を記しておくと、その図形を結ぶ想定線で折ることもできる。丸の替わりに三角、星型、四角、台形、円錐、三角錐などの図形を使用しても良い。または、同一図形同士を順番に重ねて行くと、結果として折り進めることもできる。また、アルファベット、ギリシャ文字、アラビヤ文字などのデザイン的に面白い文字を使用しても良い。例えば、アルファベットの順番に折り進むこともできる。
【００１１】また前述は、印刷代金を低減するために、成型体と袋状保存袋の折り線を同一面に印刷したが、本発明は、これに限定されるものではなく、裏表面に別々に印刷することも可能である。
【００１２】袋には、長方形の取手部を取り付けたマチ付き構造の袋と取手の替わりに穴が開いた袋がある。折り畳むには、先ず、袋を略正方形にしてから折り始めると良い。以下に第６図の取手がある袋で説明する。平面図で見ると、その長方形と取手の境目で取手が裏側になる様に、或いは取手を袋の内側になる様に１回目の折りを行うと良い。１回目の折る部位は、一辺（長さａ）と他辺（長さｂ）の比率で言うと、好ましくは１．０ｂ≦ａ≦１．５ｂで、更に好ましくは、１．０ｂ≦ａ≦１．３ｂである。
【００１３】折り曲げた取手部は、折り畳む時に邪魔になる場合がある。これを防止するには折り曲げた後、一時的に取手を長方形の部位と仮止するために、接着テープなどで止めることも可能である。しかし余りに強い接着力を持っていると、剥がす時に破れる可能性がある。そこで接着テープを選定するには、袋の印刷面が持っている表面エネルギーよりも低い表面エネルギーを持つ接着テープを使用すれば仮止めし易く、剥がす時も簡単に剥がすことができる。
【００１４】四角形にした後、袋状に折るための２番目の折線は、第７図の様に、四角形の対角線か、四角形を数等分する平行線である。対角線で折り畳んだ方が、成型体になる数は多い。また対角線もしくは、平行線で織り込んだ部位が、袋状成型体の一辺になる。
更に、最終的に折り畳んだ成型体の表面に現れる部位に宣伝文句、社名等を記しておくのも良い。従来、マーク、社名等は、元の袋の各辺に平行、垂直、或いは斜めにバランス良く印刷されているが、本発明では最終的に折り畳んだ成型体の底辺もしくは底辺の垂直線に平行になるように印刷するのが望ましいい。従って袋を開いた場合は、袋の何処に来るかは、成型体により異なってくる。この袋を開くと、折り線で左右対称に台形、三角形、四角形、長方形、五角形などが規則正しく現れる。最終的に成型された成型体や袋状収納袋の最外面にの周辺に、例えば世界地図、日本地図の様な柄や、動物の柄、船の柄、果物の柄、人物の柄、植物の柄、花の柄などになる様に袋の各場所に印刷しておくことも可能である。
その結果、買い物をして持ち運んでいる時には奇妙な袋となり面白く、宣伝にもなる。この袋は、従来にないファッション性を加味しているので、お洒落であり、そのまま外出時に使用することも可能である。
【００１５】しかし、本発明を実施するには、印刷の費用が掛かると思われるが、従来は袋に社名等が印刷されているので、極端に言えば少々印刷インクが必要になるが、それ程の費用上昇にはならない。更に、宣伝のために多色印刷をすることもあるだろうが、宣伝費用と思えば問題はない。また、袋の表側には、従来の社名等の印刷をし、裏側に本発明の印刷をすることもできる。
以下に、実施例をもって本発明を説明する。
【実施例１】
【００１７】図１の様に成型体と袋状保存袋を作成するための折り線と折る順番を印刷した袋を作製する。買い物を取り出した後に、第６図の様に先ず折り線に従って取手を折り線、順番が印刷されている面の裏側に折り込むか、袋の内側に織り込む。折り込んで出来た正方形（ａ／ｂの比率で１．０）の袋を、先ず対角線で山折し三角形に折る。その後は、順番に従って折り紙で言うところの“コップ”を作製し、袋状保存袋を完成させた。次に第２図の様に、前記と同様に、昔病院で配布されていた粉末の薬を収納する折方で成型体を作製した。
発明者の実験では、一つの保存袋に１０枚程収納が可能であった。この袋状保存袋は、場所を取らないので台所の引き出しに簡単に片付けることが出来た。
【実施例２】
【００１８】実施例１と同様に、折り畳むが、ここでは、ａ／ｂの比率が１．３のところで裏側に折り畳んでできた長方形を４等分になる様に中央部を谷折しその他２ヵ所を山折し、折り紙で言うところの“パスケース”を作製した。このパスケースは、収納場所を２ヵ所持っているので、成型体を保存する数量が増え、１５枚もの成型体を収納できた。このパスケースは、取手の境目で折り込んだ長方形で作製できるので、より大きな袋状保存袋を作成することができた。
【実施例３】
【００１９】第５図の様に袋に予め、折り線で囲われた部位の間に小さく記した順番を表す数字が印刷し、更に折り畳んだ時の最終面に表れる記号として「ＡＢＣ」と印刷してある。実施例１と同様に折り進み、成型体を作成した。無味乾燥なプラスチック袋に華やかさを付与することができた。
【発明の効果】
【００２０】本発明を実施することにより、誰でも簡単に折り畳むことができ、省スペースであり、しかも安価な袋収納方法である。また、この袋を折り畳まない時には、従来にはない特殊なデザインであるため、宣伝になり易く、捨てるのではなく、何回も再利用される可能性が高いので、省エネルギーにも繋がる。
【符号の説明】
【００２１】１  買い物袋
２  山折線或いは谷折り線（裏側に折り込む）
３  収納袋を折るための線
４  成型体を折るための線
５  収納袋
６  成型体
【図１】
2013241213.tif 000003
【図２】
2013241213.tif 000004
【図３】
2013241213.tif 000005
【図４】
2013241213.tif 000006
【図５】
2013241213.tif 000007
【図６】
2013241213.tif 000008
【図７】
2013241213.tif 000009